(57)【要約】      （修正有）【課題】電源起動状態や特定の動作状態におけるレンズユニットのカメラボディからの離脱を防止する。【解決手段】ボディ側マウント部１４は、マウントリング部材４１、バヨネット爪４２ａ〜ｃ、マウント本体４３、バリア部材４４、コイルバネ４６からなる。マウント本体４３は、ベース部材５１に接点ピン及び中継基板５５を固定して形成する。中継基板５５には、ロックピン６９、ロック解除ボタン７０、ストッパ７３、ソレノイド７４を備えるロック機構４７が組み込まれる。電源が投入され起動状態となったとき、ソレノイド７４の駆動によりストッパ７３がロックピン６９をロック状態に保持し、電源が停止したときは、ストッパ７３が移動してロック解除を許容する。【選択図】図４
2008083377.tif 000002
【特許請求の範囲】
【請求項１】
レンズユニットが着脱自在に装着されるカメラボディに備えられ、前記レンズユニットが装着状態のとき、カメラボディからの離脱を規制してロック状態とするロック手段と、このロック手段によるロック状態を解除する解除手段とを備えたレンズ着脱機構において、
前記解除手段による解除を阻止して前記レンズユニットのロック状態を保持するロック保持状態と、ロック状態の解除を許容するロック解除許容状態との間で切り換えを行うロック保持手段を備え、前記カメラボディが電源起動状態または特定動作状態のときは、前記ロック保持手段が動作して前記ロック保持状態とし、前記カメラボディが電源起動状態から停止状態、または前記特定動作状態以外の動作状態となったときは、ロック解除許容状態とすることを特徴とするレンズ着脱機構。
【請求項２】
前記ロック保持手段は、前記ロック手段をロック状態で停止させる停止位置及び前記ロック手段の移動を許容する許容位置との間で移動自在に取り付けられたストッパと、このストッパを駆動する駆動手段とからなり、前記カメラボディが電源起動状態または特定動作状態のときは、前記ストッパが前記停止位置に移動して前記ロック手段をロック保持状態とし、前記カメラボディが停止状態または前記特定動作状態以外の動作状態となったときは、前記ストッパが前記許容位置に移動してロック解除許容状態とすることを特徴とする請求項１記載のレンズ着脱機構。
【請求項３】
前記ロック保持手段は、前記ロック手段をロック状態で停止させる停止位置及びこの停止位置から退避して前記ロック手段の移動を許容する許容位置との間で形状が変化する形状記憶部材と、この形状記憶部材の形状変化を制御する制御手段とからなり、前記カメラボディが電源起動状態または特定動作状態のときは、前記形状記憶部材が前記停止位置に変形して前記ロック手段をロック保持状態とし、前記カメラボディが停止状態または前記特定動作状態以外の動作状態となったときは、前記形状記憶部材が前記許容位置に変形してロック解除許容状態とすることを特徴とする請求項１記載のレンズ着脱機構。
【請求項４】
前記カメラボディは、電源起動時または、特定動作時に手動操作によりスライド移動するスライド操作部材を備えており、前記ロック保持手段は、前記ロック手段をロック状態で停止させる停止位置及び前記ロック手段の移動を許容する許容位置との間で移動自在に取り付けられたストッパと、前記スライド操作部材のスライド移動に連動して前記ストッパを前記許容位置から前記停止位置に移動させる連動部材とからなることを特徴とする請求項１記載のレンズ着脱機構。
【請求項５】
レンズユニットを着脱可能とし、装着状態となったレンズユニットが離脱することを規制してロック状態とするロック手段と、このロック手段によるロック状態を解除する解除手段とを備えたカメラボディの制御方法において、
前記レンズユニットのロック状態を保持するロック保持状態と、ロック状態の解除を許容するロック解除許容状態との間で切り換えを行うロック保持手段を備え、電源起動状態、または特定動作状態のときは、前記保持手段を動作させて前記ロック状態を保持し、電源起動状態から停止状態、または前記特定動作状態以外の動作状態となったときは、ロック解除許容状態とすることを特徴とするカメラボディの制御方法。
【発明の詳細な説明】
【技術分野】
【０００１】
本発明は、レンズ交換型カメラにおける交換用レンズユニットを着脱するレンズ着脱機構及びこれを備えたカメラボディの制御方法に関する。
【背景技術】
【０００２】
近年、ＣＣＤなどの撮像素子を用いて撮像した撮影画像をデジタルの画像データに変換し、内蔵メモリやメモリカードなどの記録媒体に記録するデジタルカメラが普及している。デジタルカメラの中には、撮影レンズがカメラボディに一体化された一体型のものと、各種撮影レンズがカメラボディに着脱可能にされたレンズ交換型のものとがある。レンズ交換型のデジタルカメラの場合、レンズユニットとカメラボディとの間でデータの転送を行うために、それぞれのマウント部に電気信号接点を設けており、レンズユニットをカメラボディに装着した時に互いの電気信号接点が接触状態となり、これらの電気信号接点を介してデータ転送を行う構成が一般的である。
【０００３】
また、レンズ交換可能なカメラボディの構造では、レンズユニットを係止してロック状態とするロックピンなどのロック部材と、このロック部材によるロック状態を押圧操作により解除してレンズユニットを離脱可能にするロック解除ボタンとをカメラボディに備えていることが多い。
【０００４】
このような電気信号接点を介してデータ転送を行うレンズユニット及びカメラボディの構成では、例えば特許文献１に記載されているように、電気信号接点を複数のブロック毎に配置することで電気信号接点の短絡やノイズを防止したり、特許文献２または特許文献３に記載されているように、交換レンズが装着状態及び非装着状態のいずれかであるかを検出し、それぞれの状態に応じてカメラの電源オン／オフ切り換えやＣＰＵのリセット状態や電力供給などを制御して不適切な動作を防止する構成など様々な工夫を施したものが知られている。
【特許文献１】特開２００５−３１６４３７号公報
【特許文献２】特開２００５−３１６４３８号公報
【特許文献３】特開２００５−３００５６７号公報
【発明の開示】
【発明が解決しようとする課題】
【０００５】
しかしながら、電気信号接点を介してレンズユニットとカメラボディとの間でデータの転送を行う場合、電源が投入されて起動状態となったときや、特定の動作状態、例えば、データの転送動作を行っているときなどに、ロック解除ボタンを誤って押圧操作してしまい、レンズユニットがカメラボディから離脱してしまうと、データの損失や、各電子部品の故障の原因になるなどの電気的問題が生じる可能性がある。
【０００６】
また、上記特許文献１〜３においてもレンズユニットの装着状態及び非装着状態のそれぞれにおける電気的問題は考慮しているが、電源起動状態または特定の動作状態においてレンズユニットが離脱してしまうことについては考慮されていない。
【０００７】
本発明は、上記事情に鑑みてなされたものであり、電源起動状態や特定の動作状態におけるレンズユニットのカメラボディからの離脱を防止することができるレンズの着脱機構、及びこれを備えたカメラボディの制御方法を提供することを目的とする。
【課題を解決するための手段】
【０００８】
上記課題を解決するために、本発明のレンズ着脱機構は、レンズユニットが着脱自在に装着されるカメラボディに備えられ、前記レンズユニットが装着状態のとき、カメラボディからの離脱を規制してロック状態とするロック手段と、このロック手段によるロック状態を解除する解除手段とを備えたレンズ着脱機構において、前記解除手段による解除を阻止して前記レンズユニットのロック状態を保持するロック保持状態と、ロック状態の解除を許容するロック解除許容状態との間で切り換えを行うロック保持手段を備え、前記カメラボディが電源起動状態または特定動作状態のときは、前記ロック保持手段が動作して前記ロック保持状態とし、前記カメラボディが電源起動状態から停止状態、または前記特定動作状態以外の動作状態となったときは、ロック解除許容状態とすることを特徴とする。
【０００９】
なお、前記ロック保持手段は、前記ロック手段をロック状態で停止させる停止位置及び前記ロック手段の移動を許容する許容位置との間で移動自在に取り付けられたストッパと、このストッパを駆動する駆動手段とからなり、前記カメラボディが電源起動状態または特定動作状態のときは、前記ストッパが前記停止位置に移動して前記ロック手段をロック保持状態とし、前記カメラボディが停止状態または前記特定動作状態以外の動作状態となったときは、前記ストッパが前記許容位置に移動してロック解除許容状態とすることが好ましい。あるいは、前記ロック保持手段は、前記ロック手段をロック状態で停止させる停止位置及びこの停止位置から退避して前記ロック手段の移動を許容する許容位置との間で形状が変化する形状記憶部材と、この形状記憶部材の形状変化を制御する制御手段とからなり、前記カメラボディが電源起動状態または特定動作状態のときは、前記形状記憶部材が前記停止位置に変形して前記ロック手段をロック保持状態とし、前記カメラボディが停止状態または前記特定動作状態以外の動作状態となったときは、前記形状記憶部材が前記許容位置に変形してロック解除許容状態とすることが好ましい。また、前記カメラボディは、電源起動時または、特定動作時に手動操作によりスライド移動するスライド操作部材を備えており、前記ロック保持手段は、前記ロック手段をロック状態で停止させる停止位置及び前記ロック手段の移動を許容する許容位置との間で移動自在に取り付けられたストッパと、前記スライド操作部材のスライド移動に連動して前記ストッパを前記許容位置から前記停止位置に移動させる連動部材とからなることも好ましい。
【００１０】
請求項５記載のカメラボディの制御方法は、レンズユニットを着脱可能とし、装着状態となったレンズユニットが離脱することを規制してロック状態とするロック手段と、このロック手段によるロック状態を解除する解除手段とを備えたカメラボディの制御方法において、前記レンズユニットのロック状態を保持するロック保持状態と、ロック状態の解除を許容するロック解除許容状態との間で切り換えを行うロック保持手段を備え、電源起動状態、または特定動作状態のときは、前記保持手段を動作させて前記ロック状態を保持し、電源起動状態から停止状態、または前記特定動作状態以外の動作状態となったときは、ロック解除許容状態とすることを特徴とする。
【発明の効果】
【００１１】
本発明のレンズ着脱機構及びカメラボディの制御方法では、電源起動状態、または特定動作状態のときは、保持手段を動作させてレンズユニットのロック状態を保持し、電源起動状態から停止状態、または特定動作状態以外の動作状態となったときは、レンズユニットのロック解除許容状態としているので、電源起動状態や特定の動作状態におけるレンズユニットのカメラボディからの離脱を防止することができる。
【発明を実施するための最良の形態】
【００１２】
図１において、本発明を適用したデジタルカメラ１０は、カメラボディ１１とレンズユニット１２とから構成されたカメラシステムであり、レンズユニット１２は、カメラボディ１１に着脱自在に装着される。カメラボディ１１には、ボディ側マウント部１３が設けられており、レンズユニット１２には、レンズ側マウント部１４が設けられている。
【００１３】
レンズユニット１２は、図２に示すように、レンズ鏡胴部２１と、レンズ側マウント部１４とからなり、レンズ側マウント部１４は、レンズ鏡胴部２１に固定されるマウント本体２２と、このマウント本体２２と一体に設けられたバヨネット爪２３ａ〜ｃと、接点基板２４と、この接点基板２４をマウント本体２２に固定する固定板２６とが設けられている。マウント本体２２は、ボディ側マウント部１３に接触する接触面２２ａを有しており、この接触面２２ａには、後述する係合穴２９が形成されている。バヨネット爪２３ａ〜ｃは、ボディ側マウント部１３のバヨネット爪４２ａ〜ｃに合わせた位置及び形状に形成されており、互いに噛み合うようになっている。また、バヨネット爪２３ａ〜ｃのうち、１つのバヨネット爪２３ａには、その一端部に回転規制突起部２３ｄが一体に形成されている。回転規制突起部２３ｄは、バヨネット爪２２ａと当接することによりレンズユニット１２の回転を規制して所定の角度に位置決めする。
【００１４】
接点基板２４は、バヨネット爪２３ａ〜ｃにそれぞれ嵌め込まれるように相似形状且つ１回り小さく形成されており、複数の接点パターン２５が実装されている。この接点パターン２５は、ボディ側マウント部１３に設けられた複数の接点ピン３０（図３〜５参照）に合わせた位置に設けられており、レンズユニット１２がカメラボディ１１に装着されたとき、接点ピン３０、接点パターン２５がそれぞれ互いに接触して接続状態なり、電気信号の授受が可能となる。
【００１５】
なお、レンズユニット１２には、撮影レンズ３１、撮像素子としてのＣＣＤ３２、このＣＣＤ３２から取得した撮像信号に基づいて画像データを形成する処理回路や、レンズユニット１２の各部を制御する制御回路などが設けられた回路基板などが内蔵されている。撮影レンズ３１を通してＣＣＤ３２に結像された被写体光が、ＣＣＤ３２によって撮像信号に光電変換される。そしてこの撮像信号に基づいて信号処理回路で形成された画像データは、接点パターン２５、接点ピン３０を介してカメラボディ１２へ転送され、記憶媒体に記憶される。
【００１６】
また、カメラボディ１１の前面上部には、ストロボ３３が設けられている。また、カメラ本体１１の上面には、撮影を行う際に押圧操作されるシャッタボタン３４、および、撮影モードと再生モードとを切り換える際に回転操作される切り換えダイヤル３６が設けられている。さらに、カメラ本ボディ１１の背面には、電源スイッチ、及びＬＣＤなどが設けられている。
【００１７】
本発明のレンズ着脱機構を適用したボディ側マウント部１３は、図３及び図４に示すように、リング状に形成されたマウントリング部材４１、このマウントリング部材４１と一体に形成された３つのバヨネット爪４２ａ〜ｃと、マウント本体４３と、マウントリング部材４１の開口部を塞ぐ塞ぎ位置、及びこの塞ぎ位置から後退する退避位置の間で移動可能に設けられたバリア部材４４と、このバリア部材４４を塞ぎ位置に付勢するコイルバネ４６と、レンズユニット１２の離脱を規制してロック状態にするロック機構４７とからなる。なお、図３においては、マウント部１３の構成を表しやすくするため、バリア部材４４が退避位置に後退した状態を図示している。マウントリング部材４１は、カメラボディ１１の前カバー（筐体）１１ａに対してネジ止めなどによって一体に固定されている。バヨネット爪４２ａ〜ｃは、マウントリング部材４１の内周面から中央へ向かって突出するように形成されている。なお、本実施形態においては、マウント部１３、１４ともに３個のバヨネット爪を設けているが、本発明はこれに限るものではなく、バヨネット爪の個数は２個あるいは４個でもよい。
【００１８】
マウント本体４３は、詳しくは、図５に示すように、ベース部材５１と、接点ピン３０と、固定部材５３ａ〜ｃと、固定ネジ５４と、中継基板５５とからなる。ベース部材５１は、略円筒状の外形で、内周面から中央に突出するピン保持部５７ａ〜ｃと、ネジ止め用のボス６１ａとが一体に形成されている。また、ピン保持部５７ａ〜ｃは、その先端部に接点ピン３０とそれぞれ係合する切り欠き部５９が複数形成されている。接点ピン３０は、一方の端部が切り欠き部５９に係合し、他方の端部が、底面側に向って延びるようにベース部材５１に取り付けられている。固定部材６２ａ〜ｃは、ベース部材５１の外周面に合わせた略円弧状に形成されており、ベース部材５１と係合することによって接点ピン３０を底面側から保持してベース部材５１に接点ピン３０を固定する。
【００１９】
中継基板５５は、剛性を有する薄板形状、例えば金属板とＦＰＣ（フレキシブル基板）とを貼り合わせたものなどを使用し、接点ピン３０をハンダ付けするためのスルーホール５５ａ、及びベース部材５１を固定するためのネジ穴６５ｂがそれぞれ複数形成されている。スルーホール５５ａは、接点ピン３０の位置に合わせて円弧状に並んで配置されており、接点ピン３０が挿入され、中継基板５５にハンダ付けされる。また、中継基板５５には、可撓性を有する接続ケーブルとしてのＦＰＣ６６が設けられている。ＦＰＣ６６の先端には、複数の接点部６６ａが露呈しており、このＦＰＣ６６の先端をメイン基板（図示せず）に設けたコネクタに接続することによって、メイン基板と中継基板５５とが電気的に接続される。
【００２０】
さらに、中継基板５５には、ロック機構４７が取り付けられている。ロック機構４７は、ロックピン６９、ロック解除ボタン７０と、ボタン保持部材７１と、付勢バネ７２と、ストッパ７３と、ソレノイド７４とからなる。
【００２１】
ロックピン６９及びロック解除ボタン７０は、軸方向が互いに平行となるように連結部７６を介して一体に設けられており、ボタン保持部材７１に対して軸方向に沿って移動自在に取り付けられている。ボタン保持部材７１は、中継基板５５に固着されている。なお、ロックピン６９は、マウントリング部材４１の貫通穴４１ａを通過し、マウントリング部材４１から突出する突出位置と、貫通穴６１ａの内部に退避する退避位置との間で移動自在となっており、ボタン保持部材７１の内部に組み込まれた付勢バネ７２によってロック解除ボタン７０とともに突出位置へ向かって付勢されている。ロック解除ボタン７０は、図１及び図３に示すように、マウントリング部材４１近傍且つカメラボディ１１の表面に露呈している。レンズユニット１２がカメラボディ１１に装着された時に、ロックピン６９が、レンズユニット１２の背面に形成された係合穴２９（図２参照）と係合して、レンズユニット１２の回転がロックされる。これにより、レンズユニット１２が回転してカメラボディ１１から脱落することが防止される。また、ロック解除ボタン７０を付勢バネ７２の付勢に抗して押圧すると、ロックピン６９とともに退避位置に移動してレンズユニット１２のロックを解除する。
【００２２】
ストッパ７３は、図５に示すように、回転軸７３ａを介して、停止位置（実線で示す位置）と、許容位置（２点鎖線で示す位置）との間で回動自在に中継基板５５に取り付けられており、ロックピン６９とは反対側の端部には、ソレノイド７４と係合する切り欠き部７７が形成されている。このストッパ７３が停止位置に移動したときは、ロック位置にあるロックピン６９と当接して移動を阻止する。また、ストッパ７３が許容位置に移動したときは、ロックピン６９から離れてロック位置から解除位置への移動を許容する。
【００２３】
ソレノイド７４は、ストッパ７３の駆動手段として動作し、可動鉄心８８が通電状態によって移動することでストッパ７３を回動させる。可動鉄心７８は、ストッパ７３の切り欠き部７７と係合し、その先端部に形成された抜け止め部７８ａによってストッパ７３との係合が外れないようにしている。また、ストッパ７３とソレノイド７４との間にはバネ部材７９が組み込まれておりストッパ７３及び可動鉄心７８を付勢する。
【００２４】
ソレノイド７４が無通電状態のときは、バネ部材７９の付勢によって可動鉄心７８が突出位置にあるとともに、この可動鉄心７８に係合するストッパ７３が上述した許容位置にある。そしてソレノイド７４が通電状態になると、可動鉄心７８がバネ部材７９の付勢に抗して内部に吸引される吸引位置となる。これにより、ストッパ７３は可動鉄心７８に連動して移動し、許容位置から停止位置に移動する。
【００２５】
図６は、デジタルカメラ１０の電気的構成の概略を示す。撮影レンズ３１の後方には、ＣＣＤ３２が配置されており、ＣＣＤ３２の前方には、シャッタ機構や、絞り機構（図示せず）などが配置されている。
【００２６】
ＣＣＤ３２は、ＣＣＤドライバ８３に接続されており、ＣＣＤドライバ８３を介してレンズユニット用システム制御部８１（以下、システム制御部８１）によって駆動を制御される。ＣＣＤ３２は、光学的な被写体画像を電気的な撮像信号に変換して出力する。撮像信号はアンプ８４で適当なレベルに増幅された後、Ａ／Ｄ変換回路８５によってデジタル変換されて画像データとなる。この画像データは、シリアルドライバ８６を介してカメラボディ１１側へと送信される。システム制御部８１では、カメラボディ用システム制御部９５（以下、システム制御部９５）からの指令に基づいてレンズユニット１２側の撮影処理を管制している。
【００２７】
レンズユニット１２からの画像データは、シリアルドライバ８７を介してメモリ８８に書き込まれる。信号処理部８９は、メモリ８８から画像データを読み出し、階調変換、ホワイトバランス補正、γ補正等の各種画像処理を施す。画像処理が施された画像データはＬＣＤドライバ９０へ入力され、ＬＣＤ９１に画像として表示される。撮影された画像はＬＣＤ９１にスルー画として表示される。切り換えダイヤル３６を操作して再生モードに設定すると、記録メディア９３に記録した画像をＬＣＤ９１に表示したり、撮影設定条件をＬＣＤ２０に表示することができる。
【００２８】
レリーズボタン１２が押圧操作されたときには、メディアコントローラ９２の制御によって、画像処理が施された画像データが記録メディア９３に記録される。また、レリーズボタン３４が押圧操作されると、撮影環境からの光量に応じてストロボ３３が駆動される。システム制御部９５は、システム制御部８１に指令を送るとともに、カメラ本体側の撮影処理、画像表示処理、記録処理等を管制している。システム制御部９５には、レリーズボタン３４、切り換えダイヤル３６、電源スイッチ９４が接続されている。
【００２９】
また、カメラボディ１１にはバッテリ９６が配置され、カメラボディ１１の各部に電力を供給している。さらにまた、レンズユニット１２はサブバッテリ８７を備えており、接点パターン２５、接点ピン３０を介してカメラボディ１１側のメインバッテリ８６と、レンズユニット１２側のサブバッテリ８７とが接続され、メインバッテリ８６からサブバッテリ８７に電力が供給され、さらにサブバッテリ８７からレンズユニット１２の各部に電力が供給される。
【００３０】
さらに、システム制御部９５には、接続検出部９７、及びソレノイド７４が接続されている。ソレノイド７４は、システム制御部９５によって通電状態が制御され、上述したようにストッパ７３を移動させる。また装着検出部９７は、接点ピン３０のいずれかと接続されており、レンズユニット１２との通電状態によって、レンズユニット１２が装着状態か否かを検出する。
【００３１】
上記構成の作用について、図７に示すフローチャート、図８及び図９に示す断面図を参照して説明する。デジタルカメラ１０によって撮影を行うときには、先ず、レンズユニット１２をカメラボディ１１に装着状態とし、電源スイッチ９４をオン位置に操作される。なお、このときロック機構４７は、ロックピン６９が係合穴２９に係合してロック状態となっている（図８に示す状態）。そして電源が投入されて起動状態となったとき、システム制御部９５は、ソレノイド７４を通電状態にしてストッパ７３を許容位置から停止位置に移動させる（図９に示す状態）。これによって、ロック機構４７は、ロックピン６９及びロック解除ボタン７０の移動が規制されるためロック解除ボタン７０を押し込むことができなくなり、ロック状態が保持される。その後、起動状態が続行する間は、ソレノイド７４が通電状態となり、ロック保持状態が続行される。そして、電源スイッチ９４がオフ位置に操作されると、ソレノイド７４を無通電状態としてストッパ７３を許容位置に戻す。これによって、ロック機構４７は、ロック状態の解除が許容され、ロック解除ボタン７０の押圧操作によって解除状態となり、レンズユニット１２の取り外しが可能となる。
【００３２】
このようにして、デジタルカメラ１０が起動状態となっているときには、ロック状態が保持され、誤ってロック解除ボタン７０を押圧したり、引っ掛かったりした場合でもレンズユニット１２のロック状態が解除されることがないので、レンズユニット１２とカメラボディ１１との間でデータの転送不良や、損失などの電気的なトラブルを防ぐことができる。なお、ロック機構４７によるロック状態を保持する契機としては、上述したようなデジタルカメラ１０が起動状態となっているときに限るものではなく、デジタルカメラ１０が特定の動作状態、例えばカメラボディ１１及びレンズユニット１２の間で、データの転送を行っているときには、ソレノイド７４を通電状態としてロック状態を保持し、データの転送が停止したときはロック解除を許容するようにしてもよい。
【００３３】
なお、上記第１実施形態の変形例としては、図１０に示すように、円盤状のストッパ９８と、これを回転させる駆動手段としてのモータ９９とを備えた構成としてもよい。そして図１１及び図１２に示すように、この変形例の構成が使用されたカメラボディ１０１は、上述したストッパ９８及びモータ９９を含むロック機構１０２が組み込まれている。ストッパ９８は、ロックピン６９と近接する位置に配され、４個の貫通穴９８ａが形成されている。これらの貫通穴９８ａは、９０°毎の等角度間隔、且つロックピン６９よりも大きい寸法でロックピン６９の軸方向に位置を合わせて開口されている。このストッパ９８は、モータ９９の回転軸９９ａに中心が固定され、制御部による制御を受けて４５°ずつ回転される設定となっている。そして、カメラボディ１０１が電源起動状態または特定動作状態のときは、貫通穴９８ａでは無い位置でストッパ９８が停止してロックピン６９と当接する（図１１に示す状態）。すなわち、ストッパ９８はロックピン９８の移動を阻止する停止位置にあるためロックピン６９をロック保持状態とする。一方、カメラボディが停止状態または特定動作状態以外の動作状態となったときは、ストッパ９８が４５°回転して貫通穴９８ａがロックピン６９に対面する位置に移動する（図１２に示す状態）。すなわち、ストッパ９８は、貫通穴９８ａによってロックピン６９の移動を妨げない許容位置にあるため、ロックピン６９によるロックが解除許容状態となる。また再度、電源起動状態または特定動作状態となったときは、さらに４５°回転してロック保持状態とし、以後同様に４５°ずつ回転してロック保持状態及びロック解除状態の間で切り換えが行われるため、上記実施形態と同様の効果を得ることができる。なお、ストッパ９８に形成される貫通穴の個数及び貫通穴が配される角度間隔は、上記の例に限定されるものではなくストッパの寸法、モータの種類などによって適宜変更されるものである。
【００３４】
上記第１実施形態においては、ロック機構のロック状態を保持する保持手段を、ストッパと、それを駆動する駆動手段とから構成しているが、本発明はこれに限らず、以下で説明する本発明の第２実施形態では、別の構成でロック状態を保持する例を示す。この第２実施形態を適用したカメラシステムについて、図１３及び図１４を参照して説明する。本発明を適用したカメラボディ１０６では、形状記憶部材１０７を備えたロック機構１０８が組み込まれており、このロック機構１０８を含むボディ側マウント部１０９が本実施形態のレンズ着脱機構を構成する。なお、図１３及び図１４においては、上記第１実施形態と同様の部品については、同じ符号を付して説明を省略する。また、カメラボディ１０６とともに本実施形態と構成するレンズユニットについては、上記第１実施形態と同様の構成であり説明を省略する。形状記憶部材１０７は、ベース部材５１と一体に設けられた取り付け部５１ａに固定されており、カメラボディ１０６のシステム制御部によって通電状態が制御され、その通電電流による温度変化で形状が変化する。すなわち、無通電状態では、形状記憶部材１０７は、薄い板状となっており、その中央部がロックピン６９から離れた解除許容位置となっている（図１３に示す状態）。一方、通電状態では、形状記憶部材１０７は、その中央部分１０７ａが突出し（図１２に示す状態）、ロック位置にあるロックピン６９と当接して移動を阻止するロック保持位置となるように形状が変化する。そして、レンズユニットが装着されたカメラボディ１０６が電源起動状態または特定動作状態のときは、通電状態となって形状記憶部材１０７が変形してロックピン６９をロック保持状態とする。一方、カメラボディが停止状態または特定動作状態以外の動作状態となったときは、無通電状態となって形状記憶部材１０７がもとの形状に戻ってロック解除許容状態となる。このようにしてロック保持状態及びロック解除状態の間で切り換えが行われるため、上記実施形態と同様の効果を得ることができる。なお、形状記憶部材としては、周知の形状記憶合金、例えばＣｕ（銅）基形状記憶合金を使用することが好ましく、あるいは熱膨張率が異なる2枚の金属板を貼り合わせたバイメタルなどを使用してもよい。
【００３５】
なお、上記第１および第２実施形態においては、駆動手段または形状記憶部材の通電状態によって電気的な制御を行うことでロック状態の保持及びロック解除の許容状態を切り換えているが本発明はこれに限らず、以下で説明する本発明の第３実施形態では、手動操作される操作部材の移動に連動してロック保持状態及びロック解除許容状態を切り返る例を示す。本実施形態を適用したカメラシステムを図１５に示す。この図１５に示すカメラシステム１１０は、カメラボディ１１１及びレンズユニット１２からなる。カメラボディ１１１には、グリップスイッチ部材１１２が設けられており、このグリップスイッチ部材１１２をスライド移動させることによって、電源オン／オフの切り換えを行うことができる。また、本実施形態においては、ロックピン６９及びロック解除ボタン７０は、正面左側のグリップスイッチ部材１１２に近接する位置に配設している。
【００３６】
図１６〜図１８にカメラボディ１１１に組み込まれたロック機構１１３の構成を示す。このロック機構１１３を含むボディ側マウント部１１４が本実施形態のレンズ着脱機構を構成する。ロック機構１１３は、ロックピン６９、ロック解除ボタン７０と、ボタン保持部材７１と、付勢バネ７２と、グリップスイッチ部材１１２とからなる。グリップスイッチ部材１１２は、カメラボディ１０６の長手方向に移動する操作部材と、ロックピン６９及びロック解除ボタン７０の移動を阻止するストッパと、これらを繋ぐ連結部材とが一体に形成されたものであり、それぞれの機能を有する部分を便宜上、操作部１１６、ストッパ部１１７、連結部１１８と称する。ストッパ部１１７は、ロックピン６９に近接する位置に配されており、グリップスイッチ部材１１２が電源のオフ位置側にあるときに対面する貫通穴１１７ａが形成されている。そして、カメラボディ１１１にレンズユニット１２を装着状態として、グリップスイッチ部材１１２を電源のオン位置側に移動すると、これに連動して移動したストッパ部１１７は、貫通穴１１７ａの無い部分がロックピン６９に当接して移動を阻止する停止位置となるため（図１７参照）、ロック状態を保持するとともに、電源が投入されカメラボディ１１１が起動状態となる。一方、グリップスイッチ部材１１２を電源のオフ位置側に移動すると、ストッパ部１１７は、貫通穴１１７ａがロックピン６９に対面して移動を妨げない許容位置となり、ロック解除許容状態となる（図１８参照）。
【００３７】
なお、上記第３実施形態では、電源オン／オフを切り替えるスライドスイッチに連動させてロック保持状態及びロック解除許容状態を切り替える例を上げて説明しているがこれに限らず、特定の動作を実行する際にスライド操作する操作部材、例えば、レンズユニット及びカメラボディの間でデータ転送を行うことを指示するための操作部材などに連動させる構成としてもよい。また、上記第３実施形態では、操作部、連結部、ストッパ部を一体に形成した操作部材を例に上げて説明しているが、これに限らず図１９に示す例のように、ロックピン６９及びロック解除ボタン７０の移動を阻止するストッパ１２１を、操作部材１２２とは別部材で形成し、このストッパ１２１にロックボタン６９に位置を合わせた貫通穴１２１ａを形成するとともに、連結部１２１ｂを介して操作部材１２２と連結し、スライド操作に応じて移動する構成としてもよい。
【００３８】
なお、上記実施形態においては、バヨネット式のマウントを有するデジタルカメラに本発明を適用する例を説明しているが、本発明はこれに限らず、バヨネット式以外の連結手段、例えばソケットとコネクタとの接続による連結や、磁石による連結などレンズユニットとカメラボディとを着脱自在に連結する構成であれば良く、またデジタルカメラ以外のビデオカメラや、写真カメラなど、レンズユニットとカメラボディとの間で電力供給やデータの送受信など電気信号の授受を行う構成であれば、どのようなカメラ及び撮影装置でも適用することができる。
【図面の簡単な説明】
【００３９】
【図１】デジタルカメラの構成を示す斜視図である。
【図２】レンズユニットのマウント部周辺の構成を示す斜視図である。
【図３】カメラボディのマウント部の構成を示す平面図である。
【図４】ボディ側マウント部の構成を示す分解斜視図である。
【図５】本発明の第１実施形態を適用したマウント本体の構成を示す分解斜視図である。
【図６】デジタルカメラの電気的構成の概略を示すブロック図である。
【図７】レンズ着脱機構のロック状態の保持に係る手順を示すフローチャートある。
【図８】第１実施形態を適用したデジタルカメラのロック解除許容状態を示す要部断面図である。
【図９】第１実施形態を適用したデジタルカメラのロック保持状態を示す要部断面図である
【図１０】第１実施形態の変形例の構成を示す斜視図である。
【図１１】第１実施形態の変形例を適用したデジタルカメラのロック解除許容状態を示す要部断面図である。
【図１２】第１実施形態の変形例を適用したデジタルカメラのロック保持状態を示す要部断面図である。
【図１３】第２実施形態を適用したデジタルカメラのロック解除許容状態を示す要部断面図である。
【図１４】第２実施形態を適用したデジタルカメラのロック保持状態を示す要部断面図である。
【図１５】第３実施形態を適用したデジタルカメラの構成を示す斜視図である。
【図１６】スライドスイッチ及びロック機構周辺の構成を示す説明図である。
【図１７】第３実施形態を適用したデジタルカメラのロック保持状態を示す要部断面図である。
【図１８】第３実施形態を適用したデジタルカメラのロック許容解除状態を示す要部断面図である。
【図１９】弟３実施形態の変形例を示す要部断面図である。
【符号の説明】
【００４０】
１０  デジタルカメラ
１１  カメラボディ
１２  レンズユニット
１３，１０９，１１４  ボディ側マウント部（レンズ着脱機構）
４７，１０８，１１３  ロック機構
６９  ロックピン
７０  ロック解除ボタン
７３，９８  ストッパ
７４  ソレノイド（駆動手段）
９９  モータ（駆動手段）
１０７  形状記憶部材
１１２  スライドスイッチ部材
【図１】
2008083377.tif 000003
【図２】
2008083377.tif 000004
【図３】
2008083377.tif 000005
【図４】
2008083377.tif 000006
【図５】
2008083377.tif 000007
【図６】
2008083377.tif 000008
【図７】
2008083377.tif 000009
【図８】
2008083377.tif 000010
【図９】
2008083377.tif 000011
【図１０】
2008083377.tif 000012
【図１１】
2008083377.tif 000013
【図１２】
2008083377.tif 000014
【図１３】
2008083377.tif 000015
【図１４】
2008083377.tif 000016
【図１５】
2008083377.tif 000017
【図１６】
2008083377.tif 000018
【図１７】
2008083377.tif 000019
【図１８】
2008083377.tif 000020
【図１９】
2008083377.tif 000021